(57)【要約】本発明は、ハウジング（２）と、このハウジング（２）内に配置された電子回路装置（３）と、エネルギ供給装置（４）と、少なくとも１つのアンテナ装置（７、１６）とを備えた緊急呼出し送信機（１）に関する。本発明に基づいて、ハウジング（２）が、中空円筒状のハウジング中央部分（３２）と、このハウジング中央部分（３２）の片側端面（Ｒ）に配置されたフランジ部分（３０）と、ハウジング中央部分（３２）の反対側端面（Ｖ）に配置された底部分（２６）とを備えた時計ハウジングの形に形成されている。
2005526236.tif 000002
【特許請求の範囲】
【請求項１】
ハウジング（２）と、このハウジング（２）内に配置された電子回路装置（３）と、エネルギ供給装置（４）と、少なくとも１つのアンテナ装置（７、１６）とを備えた緊急呼出し送信機（１）において、
ハウジング（２）が、中空円筒状のハウジング中央部分（３２）と、このハウジング中央部分（３２）の片側端面（Ｒ）に配置されたフランジ部分（３０）と、ハウジング中央部分（３２）の反対側端面（Ｖ）に配置された底部分（２６）とを備えた時計ハウジングの形に形成されている、ことを特徴とする緊急呼出し送信機（１）。
【請求項２】
底部分がガラス蓋（２６）である、ことを特徴とする請求項１記載の緊急呼出し送信機（１）。
【請求項３】
底部分（２６）をハウジング中央部分（３２）に対して密封するパッキンリング（２７）が設けられている、ことを特徴とする請求項１又は２記載の緊急呼出し送信機（１）。
【請求項４】
ハウジング中央部分（３２）が、フランジ部分（３０）と一体に形成されている、ことを特徴とする請求項１ないし３のいずれか１つに記載の緊急呼出し送信機（１）。
【請求項５】
フランジ部分（３０）は、ハウジング（２）が腕時計の底の代わりに腕時計中央部分にはめ込むことができるように形成されている、ことを特徴とする請求項１ないし４のいずれか１つに記載の緊急呼出し送信機（１）。
【請求項６】
フランジ部分（３０）が円筒状に形成され、腕時計の中央部分に底をねじ込むために設けられた雌ねじに対してねじ込める雄ねじを有している、ことを特徴とする請求項５記載の緊急呼出し送信機（１）。
【請求項７】
ハウジング（２）に、このハウジング（２）内に存在する少なくとも１つのアンテナ装置（７、１６）の部品であるアンテナ線（８、１７）が引き出される少なくとも１つのアンテナ線貫通部（１４、２１）が設けられている、ことを特徴とする請求項１ないし６のいずれか１つに記載の緊急呼出し送信機（１）。
【請求項８】
少なくとも１つのアンテナ線貫通部がアンテナ線収容管（１４、２１）を含み、このアンテナ線収容管（１４、２１）が、中空円筒状のハウジング中央部分（３２）の外周に接線方向に向けて設けられている、ことを特徴とする請求項７記載の緊急呼出し送信機（１）。
【請求項９】
少なくとも１つのアンテナ線貫通部（１４、２１）が、りゅうず（１５、３３）によって密閉される、ことを特徴とする請求項７又は８記載の緊急呼出し送信機（１）。
【請求項１０】
アンテナ線が形状記憶材料から成り、この形状記憶材料が、ハウジング（２）からの引出し後に自然に線形に延びるように形成されている、ことを特徴とする請求項７ないし９のいずれか１つに記載の緊急呼出し送信機（１）。
【請求項１１】
ハウジング中央部分（３２）の内部に同軸的に配置された第１内側リング（１１）が設けられている、ことを特徴とする請求項１ないし１０のいずれか１つに記載の緊急呼出し送信機（１）。
【請求項１２】
第１内側リング（１１）が不導性材料から成っている、ことを特徴とする請求項１１記載の緊急呼出し送信機（１）。
【請求項１３】
第１内側リング（１１）がプラスチックから成っている、ことを特徴とする請求項１１又は１２記載の緊急呼出し送信機（１）。
【請求項１４】
第１内側リング（１１）がその外周面に第１周溝（１２）を有し、この第１周溝（１２）内においてその外周面上に、少なくとも１つのアンテナ線が巻かれる、ことを特徴とする請求項１１ないし１３のいずれか１つに記載の緊急呼出し送信機（１）。
【請求項１５】
第１内側リング（１１）がその外周面に環状凹所を有し、この環状凹所の中に、第２内側リング（１９）がぴったりはめ込まれ、第２内側リング（１９）がその外周面に第２周溝（２０）を有し、この第２周溝（２０）内においてその外周面上に、もう１つのアンテナ線（１７）が巻かれる、ことを特徴とする請求項１４記載の緊急呼出し送信機（１）。
【請求項１６】
第１内側リング（１１）および／又は第２内側リング（１９）が、ハウジング（２）に関して、回転軸線（ａｘ）を中心に回転可能に支持されている、ことを特徴とする請求項１１ないし１５のいずれか１つに記載の緊急呼出し送信機（１）。
【請求項１７】
請求項１ないし１６のいずれか１つに記載の緊急呼出し送信機（１）に対して利用されることを特徴とするハウジング（２）。
【発明の詳細な説明】
【技術分野】
【０００１】
本発明は、請求項１の上位概念部分に記載の緊急呼出し送信機に関する。
【背景技術】
【０００２】
本発明は、従来において多数の実施形態で知られている緊急呼出し送信機から出発している。即ち、例えば、航空において緊急呼出し送信機は、英語の略語ＥＬＴ（Emergency Locator Transmitter＝緊急位置通報送信機）として知られている。そのＥＬＴは、緊急時に１２１．５ＭＨｚないし２４３ＭＨｚの周波数で信号を送信する。類似した緊急呼出し送信機は、航行に対しても存在している。業務航行に対して、その間４０６ＭＨｚの周波数で緊急呼出し信号を送信する緊急呼出し送信機が義務づけられている。
【０００３】
上述した様式の緊急呼出し信号は、人工衛星支援式地上位置指定装置によって感知され、緊急呼出し送信機の位置を決定するために利用される。そのような地上位置指定装置は、１９７９年に、米国、旧ソ連、カナダ、フランスによって、ＣＯＳＰＡＳ−ＳＡＲＳＡＴ−Ｓｙｓｔｅｍ（遭難救助衛星システム）として設立され（ＣＯＳＰＡＳは、英語“Space System for the Search of Vessels in Distress"の意味を有したロシア語の略語、ＳＡＲＳＡＴは、英語“Search and Rescue Satellite Aided Tracking"の略語）、１９９６年／１９９７年に拡張されている。
【０００４】
上述した様式の緊急呼出し送信機は、主に、船舶や飛行機に搭載するための機器として市販されている。しかしその間において、人が携帯できる緊急呼出し送信機も購買することができる。しかし前記の緊急呼出し送信機は、そのような緊急呼出し送信機を携帯する人が常に、その緊急呼出し送信機を収容するための適当な入れ物などを携行しなければならない、という欠点を有している。
【０００５】
上述した欠点を除去するために、従来において種々の対策が知られている。即ち、例えば、緊急呼出し送信機のハウジングに直接設けられた特殊な保持ベルトが存在している。また、緊急呼出し送信機自体を腕時計のハウジング内に一体に組み込むことも知られている。前記の実施形態は、周波数１２１．５ＭＨｚあるいは２４３ＭＨｚの送信ユニットから成り、その送信ユニットは、時計ハウジング内に時計仕掛けと共に固定して組み込まれている。さらに、巻回されたエアコイルとして形成された２つのアンテナが存在している。その両アンテナは、超高ニッケル成分の金属線から成っている。その金属線は、送信機の未活動状態において、そのために用意された特別なプラスチック管内に置かれている。緊急呼出し信号を送信するために、それぞれのアンテナの金属線は、プラスチック管から必要な長さだけ引き出される。
【０００６】
上述した実施形態はつまるところ実証されているけれども、さらに、あらゆる腕時計に、特に量産され低価格および中価格で販売される腕時計に、上述した形式の緊急呼出し送信機を、それに伴って腕時計の生産価格および販売価格が顕著に高くなることなしに、装着できることが望まれる。
【発明の開示】
【発明が解決しようとする課題】
【０００７】
本発明の課題は、一方では、小さな空間体積を有し、他方では、小さな重量を有する、緊急呼出し送信機を提供することにある。
【０００８】
その場合、緊急呼出し送信機がそれ自体、安価に製造されるようにしようとしている。また、市販のほとんどすべての腕時計に、その製造の際に追加費用を必要とすることなしに、そのような緊急呼出し送信機が装着できるようにしようとしている。
【課題を解決するための手段】
【０００９】
この課題は、本発明に基づいて、請求項１に記載の特徴を備えた緊急呼出し送信機によって解決される。
【００１０】
本発明の有利な実施態様および発展形態は、従属請求項に記載されている。
【００１１】
本発明は全般的に、少なくとも１つの緊急呼出し信号を発生するために、ハウジング内に配置された電子回路装置を有するそれ自体公知の様式の緊急呼出し送信機から出発している。その電子回路装置は、緊急呼出し信号を送信するために、少なくとも１つのアンテナ装置が装備されている。緊急呼出し送信機を運転するために、エネルギ供給装置が設けられ、このエネルギ供給装置は、好適には、同様にハウジング内に配置されている。
【００１２】
本発明の主要な考えは、時計工業で公知の機械的形状部品を、上述した緊急呼出し送信機を組み込むために利用することにある。これは、具体的には、緊急呼出し送信機のハウジングが、腕時計ハウジングあるいは懐中時計ハウジングの形に形成され、即ち、中空円筒状のハウジング中央部分、つまり、いわゆるカルュア（Carrure）と、ハウジング中央部分の片側端面に配置されたフランジ部分と、ハウジング中央部分の反対側端面に配置された底部分とを備えて形成されている、ことによって実現される。
【００１３】
好適には、底部分はそれ自体公知のガラス蓋であり、このガラス蓋は、例えば、パッキンリングによってハウジング中央部分に対して密封される。底部分としてのガラス蓋の利用は、そのガラス蓋の後ろに、緊急呼出し送信機の運転状態を表示するための表示装置、例えば発光ダイオードなどを外から見えるように設けることができる、という利点を有する。さらに、ガラス蓋は任意の方式でプリントされるか、予め設けられたインキ層あるいはラッカ層に、例えば表示装置を説明するために用いる任意の印や絵などが、レーザビームによって設けられる。ガラス蓋は、例えば電池あるいは蓄電池のようなエネルギ源を取り出すため並びに保守点検のために、時計工業で公知の工具によって、容易に開けることができる。
【００１４】
本発明に基づいて、ハウジング中央部分はフランジ部分と一体に形成されている。これによって、ハウジング中央部分およびフランジ部分は、一回の作業工程で、例えば旋盤、鋳造あるいはスタンピングによって製造できる。
【００１５】
本発明の特に有利な実施態様において、フランジ部分は、ハウジングが腕時計の底の代わりに腕時計中央部分にはめ込みできるように、形成されている。このようにして、あらゆる任意の腕時計に、その腕時計自体に何らの構造的変更を施す必要なしに、上述した形式の緊急呼出し送信機を装着することができる。
【００１６】
市販されている多くの腕時計は、腕時計のカルュア（Carrure）の下側面にねじ込まれるねじ込み底を有しているので、本発明に基づく緊急呼出し送信機の実施態様において、フランジ部分は円筒状に形成され、腕時計の中央部分に底をねじ込むために設けらた雌ねじに対してねじ込める雄ねじを有している。当該技術者においておのずと明らかなように、緊急呼出し送信機を装着する腕時計がどのように形成されているかに応じて、例えばバヨネット継手、圧力ばめ、スナップ継手、複数のねじによるねじ継手のような他の任意のフランジ装置も利用できる。
【００１７】
さらに、本発明に基づいて、ハウジングに、このハウジング内に存在する少なくとも１つのアンテナ装置の部品であるアンテナ線が引き出されるアンテナ線貫通部が設けられている。この実施態様は、アンテナ線が差込み継手やねじ込み継手によってハウジングに設けられるアンテナ装置に比べて、操作が簡単であるという点で優れている。また、アンテナ線を別個に人が携行する必要もない。
【００１８】
本発明の特に有利な実施態様において、少なくとも１つのアンテナ線貫通部が、アンテナ線収容管を含み、このアンテナ線収容管が、中空円筒状のハウジング中央部分の外周に接線方向に向けて設けられている。その場合、少なくとも１つのアンテナ線貫通部は、りゅうず（竜頭）によって密閉される。それ自体公知のりゅうずによって、ハウジングは水深２００ｍまで水密に閉鎖できる。
【００１９】
さらに、本発明に基づいて、アンテナ線は形状記憶材料から成り、この形状記憶材料は、ハウジングからの引出し後に自然に線形に延びるように形成されている。従って、補助的な引張り装置は不要である。
【００２０】
さらに、本発明に基づいて、ハウジング中央部分の内部に同軸的に配置された第１内側リングが設けられている。この内側リングは種々の機能を満足する。即ち、一方では、この内側リングは、底部分およびフランジ部分と共に、内室を形成し、この内室の中に、緊急呼出し送信機の電子回路装置並びに場合によってはエネルギ供給装置として用いる電池が収納される。さらに他方では、１つあるいは複数のアンテナ装置の１つあるいは複数のアンテナ線が、その外周面側に巻回される。
【００２１】
この目的のために、好適には、例えばプラスチックのような不導性材料から成る内側リングは、本発明に基づいて、その外周面に第１周溝を有し、この第１周溝内においてその外周面上に、少なくとも１つのアンテナ線が巻かれる。さらにまた、第１内側リングがその外周面に環状凹所（環状切欠部）を有し、この環状凹所の中に、第２内側リングがぴったりはめ込まれ、その第２内側リングはその外周面に第２周溝を有し、この第２周溝内においてその外周面上に、もう１つのアンテナ線が巻かれる。
【００２２】
前述の両実施態様の特に有利な実施態様において、第１内側リングおよび／又は第２内側リングは、ハウジングに関して、回転軸線を中心に回転可能に支持されている。これによって、アンテナ線の繰り出しは容易にできる。
【発明を実施するための最良の形態】
【００２３】
以下、図を参照して、本発明の実施形態を詳細に説明する。
【００２４】
図１および図２にはそれぞれ、本発明に基づく緊急呼出し送信機の実施例が、異なった断面図で示されている。
【００２５】
図から、緊急呼出し送信機１の主要な機械的構成要素、即ち、ハウジング２、このハウジング２内に配置された電子回路装置３、同様にハウジング２内に配置されたエネルギ供給装置４、および２つのアンテナ装置７、１６が理解できる。その電子回路装置３は、例えば１２１．５ＭＨｚ、２４３ＭＨｚおよび／又は４０６ＭＨｚの送信周波数で緊急呼出し信号を発生するために用いられる。エネルギ供給装置４は、２つの電池５、６から成っている。
【００２６】
また図から、本発明に基づく緊急呼出し送信機１の機械的構造が理解できる。即ち、緊急呼出し送信機１のハウジング２は、それ自体公知の形式の時計ハウジングのように構成されている。このハウジング２は中空円筒状のハウジング中央部分３２と、ハウジング中央部分３２の背面（片側端面）Ｒに配置されたフランジ部分（輪縁部）３０と、ハウジング中央部分３２の正面（反対側端面）Ｖに配置されて底部分を形成する同様にそれ自体公知の形式のガラス蓋２６とから成っている。
【００２７】
そのガラス蓋２６は、パッキンリング２７によってハウジング中央部分３２に対して密封されている。
【００２８】
ハウジング中央部分３２は、フランジ部分３０と共に、一体部品を形成している。フランジ部分３０は円筒状に形成され、雄ねじ３１を有している。円筒状フランジ部分３０および特に雄ねじ３１の寸法は、ハウジング２がフランジ部分３０で、腕時計の底の代わりに腕時計中央部分にはめ込むことができるように、決められている。
【００２９】
ハウジング中央部分３２とガラス蓋２６とフランジ部分３０とから形成されたハウジング２の中に、不導性プラスチックから成る第１内側リング１１がはめ込まれ、詳しくは、ハウジング中央部分３２の内部に同軸的に配置されている。この第１内側リング１１の内部に、一方では、３つのねじ２３、２４、２５によって第１内側リング１１に固定された半月状の電子回路装置３、並びに他方では、（この電子回路装置３によって半月状に包囲された）電気エネルギ供給装置４として使用する上述の電池、即ち、ここではボタン電池として形成された第１電池５および第２電池６が存在している。電池５、６は２つの電池ばね２８、２９によって回路装置ホルダ２２に固定されている。
【００３０】
第１内側リング１１は、その外周面に第１周溝１２を有している。この第１周溝１２内においてその外周面上に、第１アンテナ装置７の部品としての第１アンテナ線８が巻かれている。
【００３１】
この第１アンテナ線８をハウジング中央部分３２に対して電気絶縁するために、ハウジング中央部分３２はその内側壁面に、第１周溝１２の軸方向寸法に対応した周溝１３を有している。この周溝１３は以下において第３周溝と呼ぶ。この第３周溝１３の中に、第１外側絶縁リング１０がはめ込まれている。第１周溝１２と第１外側絶縁リング１０の内周面とによって形成された空間は、第１アンテナ室９と呼ぶ。
【００３２】
第１内側リング１１はその外周面に、さらに、環状凹所を有している。この環状凹所の中に、第２内側リング１９がぴったりはめ込まれている。第２内側リング１９はさらに、その外周面に第２周溝２０を有している。この第２周溝２０内においてその外周面上に、第２アンテナ線１７が巻かれている。第２周溝２０およびハウジング中央部分３２の内側壁面は、上述の場合と同様に、第２アンテナ室１８を封じ込めている。
【００３３】
ハウジング２にさらに、２つのアンテナ線収容管、即ち、第１アンテナ線収容管１４と第２アンテナ線収容管２１が設けられている。ハウジング２内に存在するアンテナ線８、１７はそれぞれ、第１アンテナ線収容管１４ないし第２アンテナ線収容管２１から引き出される。各アンテナ線収容管１４、２１はそれぞれ、中空円筒状ハウジング中央部分３２の外周にその接線方向に向けて設けられている。各アンテナ線収容管１４、２１はそれぞれ、先端がりゅうず（竜頭）１５、３３によって密閉される。
【００３４】
本発明に基づいて、第１内側リング１１および第２内側リング１９はハウジング２に関して中心回転軸線ａｘを中心に回転可能に支持されている。これによって、両アンテナ線８、１７はそれぞれ、引張り力を与えることで、ホルダとして使用する内側リング１１、１９から繰り出される。
【図面の簡単な説明】
【００３５】
【図１】本発明に基づく緊急呼出し送信機の横断面図。
【図２】図１における緊急呼出し送信機のＡ−Ａ′線に沿った縦断面図。
【符号の説明】
【００３６】
１    緊急呼出し送信機
２    ハウジング
３    電子回路装置
４    エネルギ供給装置
５    第１電池
６    第２電池
７    第１アンテナ装置
８    第１アンテナ線
９    第１アンテナ室
１０    第１外側絶縁リング
１１    第１内側リング
１２    第１周溝
１３    第３周溝
１４    第１アンテナ線収容管
１５    第１りゅうず（竜頭）
１６    第２アンテナ装置
１７    第２アンテナ線
１８    第２アンテナ室
１９    第２内側リング
２０    第２周溝
２１    第２アンテナ線収容管
２２    回路装置ホルダ
２３    ねじ
２４    ねじ
２５    ねじ
２６    ガラス蓋
２７    パッキンリング
２８    第１電池ばね
２９    第２電池ばね
３０    フランジ部分（輪縁部）
３１    雄ねじ
３２    ハウジング中央部分
３３    第２りゅうず（竜頭）
ａｘ    回転中心軸線
Ｖ      正面
Ｒ      背面
【図１】
2005526236.tif 000003
【図２】
2005526236.tif 000004
【手続補正書】
【提出日】平成16年2月12日(2004.2.12)
【手続補正１】
【補正対象書類名】特許請求の範囲
【補正対象項目名】全文
【補正方法】変更
【補正の内容】
【特許請求の範囲】
【請求項１】
ハウジング（２）と、このハウジング（２）内に配置された電子回路装置（３）と、エネルギ供給装置（４）と、少なくとも１つのアンテナ装置（７、１６）とを備え、
そのハウジング（２）が、中空円筒状のハウジング中央部分（３２）と、このハウジング中央部分（３２）の片側端面（Ｒ）に配置されたフランジ部分（３０）と、ハウジング中央部分（３２）の反対側端面（Ｖ）に配置された底部分（２６）とを備えた時計ハウジングの形に形成され、そのハウジング（２）に、このハウジング（２）内に存在する少なくとも１つのアンテナ装置（７、１６）の部品であるアンテナ線（８、１７）が引き出される少なくとも１つのアンテナ線貫通部（１４、２１）が設けられている緊急呼出し送信機（１）において、
アンテナ線が形状記憶材料から成り、この形状記憶材料が、ハウジング（２）からの引出し後に自然に線形に延びるように形成されている、ことを特徴とする緊急呼出し送信機（１）。
【請求項２】
底部分がガラス蓋（２６）である、ことを特徴とする請求項１記載の緊急呼出し送信機（１）。
【請求項３】
底部分（２６）をハウジング中央部分（３２）に対して密封するパッキンリング（２７）が設けられている、ことを特徴とする請求項１又は２記載の緊急呼出し送信機（１）。
【請求項４】
ハウジング中央部分（３２）が、フランジ部分（３０）と一体に形成されている、ことを特徴とする請求項１ないし３のいずれか１つに記載の緊急呼出し送信機（１）。
【請求項５】
フランジ部分（３０）は、ハウジング（２）が腕時計の底の代わりに腕時計中央部分にはめ込むことができるように形成されている、ことを特徴とする請求項１ないし４のいずれか１つに記載の緊急呼出し送信機（１）。
【請求項６】
フランジ部分（３０）が円筒状に形成され、腕時計の中央部分に底をねじ込むために設けられた雌ねじに対してねじ込める雄ねじを有している、ことを特徴とする請求項５記載の緊急呼出し送信機（１）。
【請求項７】
少なくとも１つのアンテナ線貫通部がアンテナ線収容管（１４、２１）を含み、このアンテナ線収容管（１４、２１）が、中空円筒状のハウジング中央部分（３２）の外周に接線方向に向けて設けられている、ことを特徴とする請求項１ないし６のいずれか１つに記載の緊急呼出し送信機（１）。
【請求項８】
少なくとも１つのアンテナ線貫通部（１４、２１）が、りゅうず（１５、３３）によって密閉される、ことを特徴とする請求項１ないし７のいずれか１つに記載の緊急呼出し送信機（１）。
【請求項９】
ハウジング中央部分（３２）の内部に同軸的に配置された第１内側リング（１１）が設けられている、ことを特徴とする請求項１ないし８のいずれか１つに記載の緊急呼出し送信機（１）。
【請求項１０】
第１内側リング（１１）が不導性材料から成っている、ことを特徴とする請求項９記載の緊急呼出し送信機（１）。
【請求項１１】
第１内側リング（１１）がプラスチックから成っている、ことを特徴とする請求項９又は１０記載の緊急呼出し送信機（１）。
【請求項１２】
第１内側リング（１１）がその外周面に第１周溝（１２）を有し、この第１周溝（１２）内においてその外周面上に、少なくとも１つのアンテナ線が巻かれる、ことを特徴とする請求項９ないし１１のいずれか１つに記載の緊急呼出し送信機（１）。
【請求項１３】
第１内側リング（１１）がその外周面に環状凹所を有し、この環状凹所の中に、第２内側リング（１９）がぴったりはめ込まれ、第２内側リング（１９）がその外周面に第２周溝（２０）を有し、この第２周溝（２０）内においてその外周面上に、もう１つのアンテナ線（１７）が巻かれる、ことを特徴とする請求項１２記載の緊急呼出し送信機（１）。
【請求項１４】
第１内側リング（１１）および／又は第２内側リング（１９）が、ハウジング（２）に関して、回転軸線（ａｘ）を中心に回転可能に支持されている、ことを特徴とする請求項９ないし１３のいずれか１つに記載の緊急呼出し送信機（１）。
【請求項１５】
請求項１ないし１４のいずれか１つに記載の緊急呼出し送信機（１）に対して利用されることを特徴とするハウジング（２）。
【国際調査報告】
2005526236.tif 000005
2005526236.tif 000006
2005526236.tif 000007
2005526236.tif 000008
2005526236.tif 000009
2005526236.tif 000010